(57)【要約】【課題】レンズ素材を損傷させることなく効率的にブロック治具から取り外せるレンズ取外装置を提供する。【解決手段】レンズ素材Ｌの周縁部の一部を支持する支持部１２Ｂと、この支持部１２Ｂ以外の箇所でレンズ素材Ｌとブロック治具１との離反を開始しレンズ素材Ｌとブロック治具１とを離反させる離反機構１３とを備える。離反機構１３は、板部材１１１に設けられるとともにレンズ素材Ｌの周縁部を係合するレンズ係合部１２Ａと、ブロック治具１に係止する治具係止部１４と、この治具係止部１４とレンズ係合部１２Ａとを相対的に移動させる移動機構１５とを備える。移動機構１５は、治具係止部１４に係合されるピストン１６１を有するシリンダ装置１６を備える。【選択図】図２
2009233792.tif 000002
【特許請求の範囲】
【請求項１】
固定用媒体で固着されるレンズ素材をブロック治具から取り外すレンズ取外装置であって、
前記レンズ素材の周縁部の一部を支持する支持部と、この支持部以外の箇所で前記レンズ素材と前記ブロック治具との離反を開始し前記レンズ素材と前記ブロック治具とを離反させる離反機構と、を備えたことを特徴とするレンズ取外装置。
【請求項２】
請求項１に記載されたレンズ取外装置において、
前記支持部はフレームに設けられ、前記離反機構は、前記フレームに設けられるとともに前記レンズ素材の周縁部を係合するレンズ係合部と、前記ブロック治具を係止する治具係止部と、この治具係止部と前記レンズ係合部とを相対的に移動させる移動機構とを備えたことを特徴とするレンズ取外装置。
【請求項３】
請求項２に記載されたレンズ取外装置において、
前記移動機構は、前記治具係止部に係合されるピストンを有し、このピストンを所定位置から前進又は後退させて前記治具係止部と前記レンズ係合部とを離反させるシリンダ装置を備えたことを特徴とするレンズ取外装置。
【請求項４】
請求項３に記載されたレンズ取外装置において、
前記ピストンが前記治具係止部と前記レンズ係合部とを離反させる方向に移動した後に前記所定位置に復帰させるピストン復帰機構を備えたことを特徴とするレンズ取外装置。
【請求項５】
請求項３又は請求項４に記載されたレンズ取外装置において、
前記治具係止部は、前記ブロック治具に形成された溝と、この溝に一端部が差し込まれるとともに他端側が前記ピストンに連結される連結プレートとを備えたことを特徴とするレンズ取外装置。
【請求項６】
請求項１から請求項５のいずれかに記載されたレンズ取外装置において、
前記支持部と前記離反機構とは前記レンズ素材の中心を挟んで互いに反対側に配置されていることを特徴とするレンズ取外装置。
【請求項７】
請求項５又は請求項６に記載されたレンズ取外装置で前記レンズ素材が取り外されるブロック治具であって、
前記レンズ素材の外周縁より外径が小さいブロック治具本体を備え、このブロック治具本体の内周部に前記固定用媒材が収納される収納凹部が形成され、前記ブロック治具本体の外周部に前記連結プレートの一端部が差し込まれる溝が周方向に沿って形成されることを特徴とするブロック治具。
【請求項８】
請求項１から請求項６のいずれかに記載されたレンズ取外装置を用いて前記レンズ素材を前記ブロック治具から取り外すレンズ取外方法であって、
前記レンズ素材の周縁部の一部を支持し、この支持した箇所以外で前記レンズ素材と前記ブロック治具とを離反させることを特徴とするレンズ取外方法。
【発明の詳細な説明】
【技術分野】
【０００１】
本発明は、レンズ素材を、固定用媒体を介して固着するためのブロック治具、このブロック治具からレンズ素材を取り外すためのレンズ取外装置及びその方法に関する。
【背景技術】
【０００２】
眼鏡レンズ、例えば、屈折力がそれぞれ異なる遠用部と近用部、及びこれらの間で屈折力が累進的に変わる累進部を備えた累進多焦点レンズを製造するために、レンズ素材を研磨することが行われる。レンズ素材の研磨工程では、レンズ素材が固定されたブロック治具を研磨装置にチャッキングする。このブロック治具の研磨装置へのチャッキングに先立ち、ブロック治具とレンズ素材とを低融点合金等の固定用媒体を用いて固着するブロック処理が行われる（特許文献１）。
切削、研削装置で所望の形状を創成し、研磨装置による研磨等のレンズ加工が終了したら、ブロック治具からレンズ素材を取り外すデブロック処理が行われる。
【０００３】
レンズ素材をブロック治具から取り外すデブロックのため、従来では、研磨工程が終了した後、レンズ素材からなる加工ワークに衝撃を与えて低融点金属からなる固定用媒体と加工ワークとを分離させる方法（特許文献２）や、衝撃デブロッキングまたは熱水デブロッキングを介して、レンズ素材をデブロッキングすること（特許文献３）が行われている。
【０００４】
【特許文献１】特開２０００−２５８７３２号公報（段落［０００７］参照）
【特許文献２】特開平１１−１９８０１４号公報（段落[０００９］参照）
【特許文献３】特表平１１−５１２４８０号公報
【発明の開示】
【発明が解決しようとする課題】
【０００５】
特許文献２や特許文献３で示される従来例では、レンズ素材をブロック治具から取り外すために衝撃力を付与するものであるが、レンズ素材全体をブロック治具から剥がそうとする衝撃力を急激に付与するため、デブロック時にレンズ素材を破損等するおそれがある。
レンズ素材を破損させないようにするには、丁寧にレンズ素材を取り扱わなければならず、デブロック作業に時間がかかり、作業効率がよくないという不都合がある。そのため、レンズ製造工程の自動化にも限界が生じることにもなる。
【０００６】
本発明の目的は、レンズ素材を損傷させることなく効率的にブロック治具から取り外せるレンズ取外装置、ブロック治具及びレンズ取外方法を提供することにある。
【課題を解決するための手段】
【０００７】
本発明のレンズ取外装置は、固定用媒体で固着されるレンズ素材をブロック治具から取り外すレンズ取外装置であって、前記レンズ素材の周縁部の一部を支持する支持部と、この支持部以外の箇所で前記レンズ素材と前記ブロック治具との離反を開始し前記レンズ素材と前記ブロック治具とを離反させる離反機構と、を備えたことを特徴とする。
【０００８】
この構成の本発明では、レンズ素材の周縁部の一部を支持部で支持した状態で離反機構を作動させる。
すると、レンズ素材は、その一部が支持部で支持されたままで、当該支持箇所とは異なる箇所がブロック治具から離隔する。レンズ素材とブロック治具とは固定用媒体で固着されているが、レンズ素材の支点である支持部と力点及び作用点である離反機構とが離れた位置にあるので、レンズ素材と固定用媒体とは一部の箇所から離反されることになり、ブロック治具から簡単にレンズ素材が外れることになる。
従って、本発明では、レンズ素材の全体に外力が同時に加わることがないので、大きな力が必要とされず、その結果、レンズ素材自体が破損するおそれもない。さらに、レンズ素材を所定位置にセットし、離反機構を操作するだけで簡単にデブロック操作を行うことができる。そのため、レンズ加工工程の自動化を達成することができる。
【０００９】
本発明では、前記支持部はフレームに設けられ、前記離反機構は、前記フレームに設けられるとともに前記レンズ素材の周縁部を係合するレンズ係合部と、前記ブロック治具に係止する治具係止部と、この治具係止部と前記レンズ係合部とを相対的に移動させる移動機構とを備えた構成が好ましい。
この構成の本発明では、離反機構と支持部とがフレームで連結されているので、レンズ取外装置が一体化されて取扱性がよくなる。
【００１０】
前記移動機構は前記治具係止部に係合されるピストンを有し、このピストンを所定位置から前進又は後退させて前記治具係止部と前記レンズ係合部とを離反させるシリンダ装置を備えた構成が好ましい。
この構成の本発明では、移動機構はピストンを前進又は後退させることで作動するので、レンズ取外装置の構造が簡易なものとなる。そして、ピストンの進退方向はレンズ素材とブロック治具との接合面とは交差しているので、ピストンの進退に伴ってレンズ素材とブロック治具とが効率的に離反される。
【００１１】
前記ピストンが前記治具係止部と前記レンズ係合部とを離反させる方向に移動した後に前記所定位置に復帰させるピストン復帰機構を備えた構成が好ましい。
この構成の本発明では、シリンダ装置を作動させてレンズ素材をブロック治具から取り外した後、ピストンがピストン復帰機構、例えば、ばねによって元の位置に直ちに復帰する。
そのため、レンズ素材をブロック治具から取り外す作業を効率的に連続させることができる。
【００１２】
前記治具係止部は、前記ブロック治具に形成された溝と、この溝に一端部が差し込まれるとともに他端側が前記ピストンに連結される連結プレートとを備えた構成が好ましい。
この構成の本発明では、ピストンに連結された連結プレートの一端部がブロック治具の溝に差し込まれているので、ピストンの進退に伴ってブロック治具がレンズ素材から離隔される。
そのため、ピストンの進退を連結プレート及び溝という簡易な構造で確実にブロック治具に伝達することができる。
【００１３】
前記支持部と前記離反機構とは前記レンズ素材の中心を挟んで互いに反対側に配置されている構成が好ましい。
この構成の本発明では、支持部と離反機構との間の距離を最も大きくとることができるから、レンズ素材をブロック治具からより簡単に外すことができる。
【００１４】
本発明のブロック治具は、前記レンズ素材の外周縁より外径が小さいブロック治具本体を備え、このブロック治具本体の内周部に前記固定用媒材が収納される収納凹部が形成され、前記ブロック治具本体の外周部に前記連結プレートの一端部が差し込まれる溝が周方向に沿って形成されることを特徴とする。
この構成の本発明では、前述の効果を奏することができるブロック治具を提供することができる。
【００１５】
本発明のレンズ取外方法は、前述の構成のレンズ取外装置を用いて前記レンズ素材を前記ブロック治具から外すレンズ取外方法であって、前記レンズ素材の周縁部を支持し、この支持した箇所以外で前記レンズ素材と前記ブロック治具とを離反させることを特徴とする。
この構成の本発明では、前述の効果を奏することができるレンズ取外方法を提供することができる。
【発明を実施するための最良の形態】
【００１６】
以下、本発明の実施形態を図面に基づいて説明する。
図１から図３には本発明の第１実施形態が示されている。
図１は第１実施形態にかかるレンズ取外装置の平面図であり、図２は図１のII-II線に沿う矢視断面図である。
図１及び図２において、レンズ取外装置１０は、固定用媒体で固着されたレンズ素材Ｌをブロック治具１から取り外すためのものであり、フレーム１１と、このフレーム１１にそれぞれ設けられたアクリル製のＵ形部材１２及び離反機構１３とを備えた構成である。なお、図１及び図２ではレンズ取外装置１０が１台のみ示されているが、複数台を連結する構成であってもよい。複数台連結する構成を採用すれば、レンズ取り外し工程の効率化を図ることができる。
【００１７】
レンズ素材Ｌは、眼鏡レンズを製造するために用いられるもので、一方が凸面に形成されるとともに他方が凹面に形成されており、凸面がブロック治具１に対向している。
ブロック治具１はレンズ素材Ｌの外周縁より外径が小さいブロック治具本体２を備えた構造である。このブロック治具本体２は図示しないレンズ加工装置に装着されるものであって、短寸円筒状のチャック部３と、このチャック部３に一体に形成されレンズ素材Ｌに対向するフランジ部４とを備え、これらのチャック部３とフランジ部４とは金属で一体に形成されている。なお、フランジ部４が固定するための固定用媒材から構成される場合には、二体構造であっても良い。
【００１８】
ブロック治具１の内部にはレンズ素材Ｌを固定するための固定用媒材が収納される収納凹部２Ａが形成されている。この固定用媒体はアロイと称される低融点合金からなり、所定温度以上では軟化して流動的となり、所定温度以下では硬化する。
チャック部３の外周部には幅寸法Ｗ及び深さ寸法Ｄの溝３Ａが周方向に沿って形成される。
フランジ部４は、チャック部３の外周より大きな外周の短寸略円筒状に形成され、そのチャック部３側はテーパ面４Ａとされる。
【００１９】
フレーム１１は平面略長方形の板部材１１１の両端側にそれぞれ脚部１１２が取り付けられたものである。
板部材１１１は正面から略中央部にかけてＵ形部材１２を係止するための切欠１１Ａが形成されている。この切欠１１ＡはＵ形部材１２の平面形状に対応して形成されており、その内周部分は上面側の径が大きく下面側の径が小さな段差とされる。
Ｕ形部材１２の内周面と切欠１１Ａの下部内周面とは略同一面とされおり、この内径寸法はブロック治具１のフランジ部４の外周よりやや大きい。Ｕ形部材１２の離反機構１３に最も近接した部位がレンズ素材Ｌを係合するレンズ係合部１２Ａであり、このレンズ係合部１２Ａとレンズ素材Ｌの中心部を挟んで反対側に位置する部位がレンズ素材Ｌの一部を支持する支持部１２Ｂとされる。
【００２０】
離反機構１３は支持部１２Ｂ以外の箇所でレンズ素材Ｌとブロック治具１との離反を開始させるものであり、前述のレンズ係合部１２Ａと、ブロック治具１を係止する治具係止部１４と、治具係止部１４とレンズ係合部１２Ａとを相対的に移動させる移動機構１５とを備えている。
移動機構１５は、Ｕ形部材１２の開口端から奥行に向かって並んで配置された２個のシリンダ装置１６と、これらのシリンダ装置１６の間に配置されたピストン復帰機構１７とを備えている。
【００２１】
シリンダ装置１６は、先端部が治具係止部１４に連結されるピストン１６１と、このピストン１６１を進退自在に収納するシリンダケース１６２と、このシリンダケース１６２の内部に作動流体としての空気を供給する流体供給部１６３と、シリンダケース１６２の作動流体としての空気を外部に排出する流体排出部１６４と、を有するものである。流体供給部１６３と流体排出部１６４とは図示しない制御手段で制御される。この制御手段はピストン１６１を後退位置から前進させて治具係止部１４とレンズ係合部１２Ａとから離反を開始する。ピストン１６１は、その先端部に連結プレート１８が連結されている。
【００２２】
この連結プレート１８は、プレート本体１８１と、このプレート本体１８１の端部にねじ１８２で取り付けられブロック治具１に形成された溝３Ａに一端部が差し込まれる係止板部１８３と、プレート本体１８１に取付部１８４を介して取り付けられブロック治具１を受ける受プレート１８５とを備えている。
係止板部１８３は平面が長方形に形成されており、その長辺部の中央部が溝３Ａに差し込まれる。つまり、係止板部１８３は、溝３Ａの幅Ｗよりやや小さな厚さであり、溝３Ａの深さＤより大きな長さ寸法を有する。
受プレート１８５はブロック治具１を支持するのに十分な大きさを有するもので、この受プレート１８５と係止板部１８３との間の寸法はブロック治具１の底面と溝３Ａとの間の寸法と略等しい。受プレート１８５にブロック治具１が配置された状態では、レンズ素材Ｌとブロック治具１との接合面は略水平面とされ、レンズ素材ＬはＵ形部材１２の上面より所定寸法上方に位置する。
ここで、本実施形態では、ブロック治具１に形成された溝３Ａと、この溝３Ａに一端部が差し込まれる連結プレート１８とから治具係止部１４が構成される。
【００２３】
ピストン復帰機構１７はフレーム１１の板部材１１１に上下方向移動可能に設けられた２本のボルト１７１と、これらのボルト１７１の下端部をプレート本体１８１に連結するための連結部材１７２と、ボルト１７１の頭部を構成する係止突起部１７３と、係止突起部１７３と板部材１１１との間に設けられボルト１７１及びプレート本体１８１を上方、つまり、ピストン後退方向に付勢するばね１７４とを備え、制御手段からの信号を受けて前進したピストン１６１を復帰させる構成である。
【００２４】
次に、第１実施形態の作用について図３を用いて説明する。
まず、レンズ素材Ｌをブロック治具１に固定するブロック処理を行う。そのため、ブロック治具１にレンズ素材Ｌを配置し、ブロック治具１の収納凹部２Ａに低融点合金からなる固定用媒体を注入する。注入した固定用媒体が冷却固化することでブロック治具１にレンズ素材Ｌが固定されることになる。このブロック治具１に固定されたレンズ素材Ｌを切削、研削装置で所望の形状を創成した後、研磨装置等に装着してレンズ素材Ｌの研磨加工を行う。なお、切削、研削および研磨等の加工は、同一装置内で連続して行ってもよい。
【００２５】
レンズ加工が終了したら、レンズ素材Ｌをブロック治具１から取り外すデブロック処理を行う。
まず、レンズ素材Ｌが固定されたブロック治具１をレンズ取外装置１０に装着する。そのため、Ｕ形部材１２の開口端から奥に向けてブロック治具１をスライドさせながら受プレート１８５に載せる。これにより、ブロック治具１の溝３Ａに係止板部１８３が差し込まれる状態となり、レンズ素材Ｌの周縁部はＵ形部材１２の上面から所定寸法離れて配置される。
【００２６】
その後、制御手段からの信号を受けてシリンダ装置１６が作動する。つまり、流体供給部１６３から空気がシリンダケース１６２に送られ、ピストン１６１が前進する。
図３に示される通り、ピストン１６１の前進に伴ってピストン１６１の先端部に連結された連結プレート１８がピストン復帰機構１７のばね１７４の付勢力に抗して下降する。これにより、連結プレート１８の係止板部１８３が溝３Ａを介してブロック治具１を下方に押し下げる。ブロック治具１に固定されたレンズ素材Ｌは、その周縁部がＵ形部材１２の上面に当接し、さらに、ブロック治具１が下方に押し下げられると、周縁部の一部が支持部１２Ｂで支持された状態で、この支持部１２Ｂとは最も離れたレンズ係合部１２Ａからブロック治具１と離反する方向に力が働く。すると、レンズ素材Ｌがブロック治具１から取り外される。取り外されたレンズ素材ＬはＵ形部材１２の上方に載せられたままとなる。ブロック治具１のみがＵ形部材１２の開口端側にスライドしてレンズ取外装置１０から取り除かれる。
【００２７】
レンズ素材Ｌが取り外されたら、制御手段からの信号を受けてシリンダ装置１６が作動する。つまり、流体供給部１６３からシリンダケース１６２への空気の供給を中止するとともに流体排出部１６４へシリンダケース１６２からの空気の排出を許容する。すると、ピストン復帰機構１７のばね１７４の付勢力により、ピストン１６１が後退位置に、連結プレート１８が初期位置にそれぞれ復帰する。また、流体排出部１６４から圧縮空気を入れることにより、ピストン１６１と連結プレート１８を復帰させることも可能である。
【００２８】
従って、第１実施形態では次の効果を奏することができる。
（１）レンズ素材Ｌの周縁部の一部を支持する支持部１２Ｂと、この支持部１２Ｂ以外の箇所でレンズ素材Ｌとブロック治具１との離反を開始しレンズ素材Ｌとブロック治具１とを離反させる離反機構１３と、を備えてレンズ取外装置１０を構成した。そのため、レンズ素材Ｌの取り外しに際して、レンズ素材Ｌの全体に外力が同時に加わることがないので、大きな力が必要とされず、レンズ素材Ｌ自体が破損するおそれもない。そして、レンズ素材Ｌを所定位置にセットし、離反機構１３を操作するだけで簡単にレンズ素材Ｌをブロック治具１から取り外すことができるから、レンズ加工工程の自動化を達成することができる。
【００２９】
（２）支持部１２Ｂはフレーム１１の板部材１１１に設けられ、離反機構１３は、板部材１１１に設けられるとともにレンズ素材Ｌの周縁部を係合するレンズ係合部１２Ａと、ブロック治具１に係止する治具係止部１４と、この治具係止部１４とレンズ係合部１２Ａとを相対的に移動させる移動機構１５とを備えた。つまり、離反機構１３と支持部１２Ｂとがフレーム１１で連結されている構成としたので、レンズ取外装置１０が一体化され、運搬時、保管時等における取扱性がよい。
【００３０】
（３）移動機構１５は、治具係止部１４に係合されるピストン１６１を有し、このピストン１６１を所定位置から前進させて治具係止部１４とレンズ係合部１２Ａとを離反させるシリンダ装置１６を備えたから、レンズ取外装置１０の移動機構１５の構造を簡易なものにできるだけでなく、ピストン１６１の進退方向がレンズ素材Ｌとブロック治具１との接合面と略直交していることから、ピストン１６１の前進に伴ってレンズ素材Ｌとブロック治具１とが効率的に離反される。
【００３１】
（４）ピストン１６１が治具係止部１４とレンズ係合部１２Ａとを離反させた後に後退位置に復帰させるピストン復帰機構１７を備えたから、レンズ素材Ｌをブロック治具１から取り外す作業を連続させることができる。
【００３２】
（５）治具係止部１４はピストン１６１に連結されるプレート本体１８１と、このプレート本体１８１に連結されブロック治具１に形成された溝３Ａに一端部が差し込まれる係止板部１８３とを備えて構成されたから、ピストン１６１の進退を簡易な構造で確実にブロック治具１に伝達することができる。
【００３３】
（６）支持部１２Ｂとレンズ係合部１２Ａとはレンズ素材Ｌの中心を挟んで互いに反対側に配置されているから、支持部１２Ｂと離反機構１３との間の距離を最も大きくとることができ、レンズ素材Ｌをブロック治具１からより簡単に外すことができる。
【００３４】
（７）シリンダ装置１６は２個設けられているので、プレート本体１８１及び係止板部１８３を、平行状態を維持しながら下降させることができる。そのため、係止板部１８３に溝３Ａで係止されたブロック治具１もレンズ素材Ｌに対して下方に移動させることができるので、レンズ素材Ｌのブロック治具１からの取り外しを確実に行うことができる。
（８）ピストン復帰機構１７を、板部材１１１に上下方向移動可能に設けられた２本のボルト１７１と、これらのボルト１７１の係止突起部１７３と板部材１１１との間に設けられたばね１７４とを備えて構成したから、プレート本体１８１及び係止板部１８３を、平行状態を維持しながら上昇させることができる。そのため、ブロック治具１を確実に元の位置に復帰させることができる。
【００３５】
（９）レンズ係合部１２Ａと支持部１２Ｂとが１つのＵ形部材１２に形成されているので、レンズ係合部１２Ａと支持部１２Ｂとの位置だしをしやすくなる。そのため、レンズ取外装置１０の組立作業を容易に行うことができる。
（１０）Ｕ形部材１２がアクリルで形成されているため、レンズ素材Ｌの周縁部がＵ形部材１２に当接しても、レンズ素材Ｌの周縁部に傷がつくことを防止できる。
【００３６】
（１１）治具係止部１４はブロック治具１を受ける受プレート１８５を備えたから、レンズ素材Ｌが取り外されたブロック治具１を受プレート１８５で受けることで、ブロック治具１の落下に伴う破損等を防止することができる。
（１２）受プレート１８５と係止板部１８３との間の寸法がブロック治具１の底面と溝３Ａとの間の寸法と略等しいから、受プレート１８５にブロック治具１をＵ形部材１２の開口端からスライドさせてセットする際に、ブロック治具１の溝３Ａに係止板部１８３が差し込まれることになるので、ブロック治具１のレンズ取外装置１０への装着作業が容易となる。
【００３７】
次に、本発明の第２実施形態を図４から図７に基づいて説明する。第２実施形態の説明において、第１実施形態と同一の構成要素は同一符号を付して説明を省略もしくは簡略にする。
図４は第２実施形態にかかるレンズ取外装置の平面図であり、図５は図４のV−V線に沿う矢視断面図、図６は図４のVI−VI線に沿う矢視断面図である。
図４から図６において、レンズ取外装置２０は、固定用媒体で固着されたレンズ素材Ｌをブロック治具５から取り外すためのものであり、フレーム２１と、このフレーム２１にそれぞれ設けられたアクリル製平板部材２２及び離反機構２３とを備えた構成である。なお、図ではレンズ取外装置２０が１台のみ示されているが、本実施形態では、複数台が連結される構造である。
【００３８】
第２実施形態のブロック治具５はレンズ素材Ｌの外周縁より外径が大きいブロック治具本体６を備えた構造である。このブロック治具本体６は、短寸円筒状のチャック部７と、このチャック部７に一体に形成されレンズ素材Ｌに対向するフランジ部８とを備えた従来構造であり、これらのチャック部７とフランジ部８とは金属で一体に形成されている。
フランジ部８は大径部８１とこの大径部８１に一体に形成されレンズ素材Ｌと対向する小径部８２とを有するものであり、大径部８１とレンズ素材Ｌとの間には所定の隙間Ｓが予め形成されている。
【００３９】
フレーム２１は、平面略長方形の板部材２１１の下面所定位置に脚部２１２が取り付けられたものである。
板部材２１１は正面から略中央部にかけてＵ字形状の切欠２１Ｕが形成されている。この切欠２１Ｕはブロック治具５のフランジ部８に対応して形成されており、その内周径はフランジ部８の小径部８２の径より大きく、大径部８１の径より小さい。
平板部材２２は板部材２１１の上面に取り付けられており、その正面から略中央部にかけて切欠２１Ｕと同一平面形状の切欠２２Ｕが形成されている。そして、平板部材２２と板部材２１１の厚さ寸法の合計は隙間Ｓよりやや小さい。つまり、レンズ素材Ｌが固定されたブロック治具５は、そのレンズ素材Ｌと大径部８１との間に形成された隙間に板部材２１１及び平板部材２２の切欠部分近傍が差し込まれる構成となっている。
平板部材２２の切欠２２Ｕの近傍において、離反機構２３に最も近接した部位がレンズ素材Ｌを係合するレンズ係合部２２Ａであり、このレンズ係合部２２Ａとレンズ素材Ｌの中心部を結ぶ直線と略直交する線分であってレンズ素材Ｌの中心部を通る線分上にある２箇所の位置がレンズ素材Ｌの一部を支持する支持部２２Ｂとされる。
【００４０】
離反機構２３は支持部２２Ｂ以外の箇所でレンズ素材Ｌとブロック治具５との離反を開始させるものであり、前述のレンズ係合部２２Ａと、ブロック治具５を係止する治具係止部２４と、治具係止部２４とレンズ係合部２２Ａとを相対的に移動させる移動機構２５とを備えている。
移動機構２５は、平板部材２２の切欠２２Ｕの奥行側に配置されたシリンダ装置２６と、このシリンダ装置２６に設けられたピストン復帰機構２７とを備えている。
【００４１】
シリンダ装置２６は、先端部がブロック治具５の大径部８１の上面を押圧するピストン２６１と、このピストン２６１を進退自在に収納するシリンダケース２６２と、このシリンダケース２６２をフレーム２１の上面から所定高さに設けるための支柱２６３と、シリンダケース２６２の内部に作動流体としての空気を供給する図示しない流体供給部と、シリンダケース２６２の作動流体としての空気を外部に排出する図示しない流体排出部と、を有するものである。これらの流体供給部と流体排出部と第１実施形態と同様に制御手段で制御される。ここで、第２実施形態では、ブロック治具５の大径部８１が治具係止部２４を構成する。
【００４２】
ピストン復帰機構２７はピストン２６１を案内する上下一対のガイドロッド２７１，２７１と、これらのガイドロッド２７１，２７２の間に設けられるとともに、上方に配置されたガイドロッド２７２を介してピストン２６１を上方に付勢するばね２７３とを備えている。
上方に配置されたガイドロッド２７１は、その上面がピストン２６１に固定された係合部２６Ａに係止されている。
下方に配置されたガイドロッド２７２は、その下面がフレーム２１の板部材２１１に固定されている。これらのガイドロッド２７１，２７２の正面側にはカバー部材２７４が配置されている。カバー部材２７４は上方のガイドロッド２７１に対して移動自在とされる。
ばね２７３は、その内部にピストン２６１が挿通されるコイルばねである。
【００４３】
次に、第２実施形態の作用について図７を用いて説明する。
レンズ素材Ｌが固定されたブロック治具５をレンズ取外装置２０に装着する。そのため、ブロック治具５とレンズ素材Ｌとの隙間Ｓに板部材２１１及び平板部材２２の切欠部分近傍を差し込む。これにより、平板部材２２にレンズ素材Ｌの周縁部が支持されることになる。
【００４４】
その後、制御手段からの信号を受けてピストン２６１を前進させる。図７に示される通り、ピストン２６１はピストン復帰機構２７のばね２７３の付勢力に抗して下降し、その先端部はブロック治具５のフランジ部８を押し下げる。ブロック治具５に固定されたレンズ素材Ｌは、その周縁部が平板部材２２の上面に当接し、さらに、ブロック治具５が下方に押し下げられると、周縁部の一部が支持部２２Ｂで支持された状態で、この支持部２２Ｂとは離れたレンズ係合部２２Ａからブロック治具５と離反する方向に力が働く。すると、レンズ素材Ｌがブロック治具５から取り外される。取り外されたレンズ素材Ｌは平板部材２２の上方に載せられたままとなり、ブロック治具５のみが下方に落下する。
レンズ素材Ｌが取り外されたら、制御手段からの信号を受けてシリンダケース２６２への空気の供給を中止するとともにシリンダケース２６２から外部への空気の排出を許容する。すると、ピストン復帰機構２７のばね２７３の付勢力により、ピストン２６１が後退位置に復帰する。
【００４５】
従って、第２実施形態では第１実施形態の（１）（３）（４）の効果の他、次の効果を奏することができる。
（１３）ピストン２６１を有するシリンダ装置２６を備え、ピストン２６１の先端部でブロック治具５のフランジ部８を押し下げる構成としたから、第１実施形態とは異なり、プレートなどから構成される治具係止部が不要となり、レンズ取外装置２０の構造が簡易なものとなる。
（１４）レンズ係合部１２Ａと支持部１２Ｂとが１つの平板部材２２に形成されているので、レンズ係合部２２Ａと支持部２２Ｂとの位置だしをしやすくなり、レンズ取外装置２０の組立作業を容易に行うことができる。
（１５）平板部材２２がアクリルで形成されているため、レンズ素材Ｌの周縁部が平板部材２２に当接しても、レンズ素材Ｌの周縁部に傷がつくことを防止できる。
【００４６】
なお、本発明は前述の実施形態に限定されるものではなく、本発明の目的を達成できる範囲での変形、改良等は本発明に含まれるものである。
例えば、前記実施形態では、シリンダ装置１６，２６をフレーム１１，２１の板部材１１１，２１１の上面に取り付けた構成としたが、本発明では、シリンダ装置１６，２６を板部材１１１，２１１の下面に取り付ける構成としてもよい。また、ピストン１６１，２６１を後退させることでレンズ素材Ｌが取り外される構成としてもよい。
【００４７】
また、本発明では、レンズ係合部１２Ａ，２２Ａと支持部１２Ｂ，２２Ｂとをフレーム１１，２１に直接形成するものでもよい。
さらに、レンズ素材Ｌは眼鏡レンズを対象としたが、それ以外、例えば、望遠鏡、カメラレンズ等のレンズを製造する場合にも適用してもよい。
【産業上の利用可能性】
【００４８】
本発明は、眼鏡、望遠鏡、カメラレンズ等のプラスチックレンズを製造する装置に利用することができる。
【図面の簡単な説明】
【００４９】
【図１】本発明の第１実施形態にかかるレンズ取外装置の平面図。
【図２】図１のII-II線に沿う矢視断面図。
【図３】レンズ取外装置のシリンダ装置が作動した後を示す図２に相当する図。
【図４】本発明の第２実施形態にかかるレンズ取外装置の平面図。
【図５】図４のV-V線に沿う矢視断面図。
【図６】図４のVI-VI線に沿う矢視断面図。
【図７】レンズ取外装置のシリンダ装置が作動した後を示す図６に相当する図。
【符号の説明】
【００５０】
１，５…ブロック治具、２，６…ブロック治具本体、２Ａ…収納凹部、３，７…チャック部、３Ａ…溝、１０，２０…レンズ取外装置、１１，２１…フレーム、１２…Ｕ形部材、１２Ａ，２２Ａ…レンズ係合部、１２Ｂ，２２Ｂ…支持部、１３，２３…離反機構、１４，２４…治具係止部、１５，２５…移動機構、１６，２６…シリンダ装置、１６１，２６１…ピストン、１７，２７…ピストン復帰機構、１８…連結プレート
【図１】
2009233792.tif 000003
【図２】
2009233792.tif 000004
【図３】
2009233792.tif 000005
【図４】
2009233792.tif 000006
【図５】
2009233792.tif 000007
【図６】
2009233792.tif 000008
【図７】
2009233792.tif 000009